(57)【特許請求の範囲】
【請求項１】
カーペットの表面におけるパイルの上に所定形状になった白色系保持層が形成され、この白色系保持層の上に蓄光材料を含む蓄光層が積層されてなり、上記の白色系保持層に白色系接着剤が用いられたことを特徴とする蓄光性カーペット。
【請求項２】
請求項１に記載の蓄光性カーペットにおいて、上記のカーペットの表面におけるパイルに所定形状の凹部が形成され、この凹部に上記の白色系保持層と蓄光層とが積層されてなることを特徴とする蓄光性カーペット。
【請求項３】
請求項２に記載の蓄光性カーペットにおいて、上記のカーペットの表面におけるパイルが加熱溶融されて所定形状の凹部が形成されていることを特徴とする蓄光性カーペット。
【請求項４】
請求項１〜請求項３の何れか１項に記載の蓄光性カーペットにおいて、上記の蓄光層に滑り防止材が含有されていることを特徴とする蓄光性カーペット。
【請求項５】
請求項１〜請求項４の何れか１項に記載の蓄光性カーペットにおいて、上記のカーペットが所定大きさの矩形状になったタイルカーペットであることを特徴とする蓄光性カーペット。
【発明の詳細な説明】
【技術分野】
【０００１】
この発明は蓄光性カーペットに係り、特に、カーペットの表面におけるパイルの上に蓄光材料を含む所定形状の蓄光層を形成するようにした蓄光性カーペットにおいて、上記の蓄光層をカーペットの表面におけるパイルの上に適切に形成することができ、またカーペットの表面におけるパイルの色彩が濃い場合にも、パイルの地の色が蓄光層を通して見えるのを防止すると共に、この蓄光層における発光性能を高め、夜間や停電時等において暗い場所での案内等の表示が適切に行えるようにした点に特徴を有するものである。
【背景技術】
【０００２】
従来より、カーペット表面のパイルの上に、有色塗料で文字、図形、模様、写真等を印刷した装飾用のカーペットが知られている。
【０００３】
また、近年においては、夜間や停電時等において暗い場所での案内等の表示が適切に行えるようにするため、カーペットの表面におけるパイルに、蓄光材料を用いた蓄光部を所定形状に形成し、この蓄光部からの光によって案内等の表示を行うようにしたものが提案されている。
【０００４】
ここで、カーペットの表面におけるパイルに蓄光材料を用いた蓄光部を所定形状に形成して案内等の表示を行うにあたり、例えば、特許文献１、２に示されるように、カーペットの表面におけるパイルの上に、発光性塗料や夜光塗料を所定形状に印刷や塗布により付与するようにしたものや、特許文献３に示されるように、カーペットの表面におけるパイルの一部に蓄光材料を含有させた蓄光性繊維を用いるようにし、或いは蛍光シートを基布とパイルの先端との間に介在させるようにしたカーペットが提案されている。
【０００５】
しかし、特許文献１、２に示されるように、カーペットの表面におけるパイルの上に、発光性塗料や夜光塗料を所定形状に印刷や塗布により付与する場合、発光性塗料や夜光塗料がパイル間に入り込んで、発光性塗料や夜光塗料を所定形状に適切に付与することが困難になるという問題があった。また、カーペットの表面におけるパイルの色彩が濃い場合には、パイルの地の色が発光性塗料や夜光塗料の層を通して見え、美観や表示機能が低下するという問題があった。さらに、発光性塗料や夜光塗料から発光された光がパイルに吸収されて発光性能が大きく低下し、夜間や停電時等において暗い場所での案内等の表示が適切に行えなくなるという問題があった。
【０００６】
また、特許文献３に示されるように、カーペットの表面におけるパイルの一部に蓄光材料を含有させた蓄光性繊維を用いる場合、このような蓄光性繊維を通常のパイル繊維とは別に製造することが必要になる。さらに、このような蓄光性繊維をカーペットの一部に用いて所定形状の表示を行うようにする場合には、カーペット自体の製造が非常に面倒になる上、表示パターンを変更させることも非常に困難になり、カーペットの製造コストが高く付くなどの様々な問題があった。
【０００７】
また、上記のように蛍光シートを基布とパイルの先端との間に介在させるようにしたカーペットの場合、この蛍光シートの上に位置するパイルが邪魔になり、十分な表示が行えなくなる上、この蛍光シートから発光された光がパイルに吸収される等により発光性能が大きく低下し、夜間や停電時等において暗い場所での案内等の表示が適切に行えなくなるという問題があった。
【特許文献１】特開２００２−１４２９５６号公報
【特許文献２】実用新案登録第３００１０１６号公報
【特許文献３】特開２００８−６１６０号公報
【発明の開示】
【発明が解決しようとする課題】
【０００８】
この発明は、カーペットの表面におけるパイルに蓄光材料を用いた蓄光部を所定形状に形成して、夜間や停電時等において暗い場所での案内等の表示が行えるようにした蓄光性カーペットにおける上記のような様々な問題を解決することを課題とするものである。
【０００９】
そして、この発明においては、カーペットの表面におけるパイルの上に蓄光材料を含む所定形状の蓄光層を形成するようにした蓄光性カーペットにおいて、上記の蓄光層をカーペットの表面におけるパイルの上に適切に形成することができ、またカーペットの表面におけるパイルの色彩が濃い場合にも、パイルの地の色が蓄光層を通して見えるのを防止すると共に、この蓄光層における発光性能を高め、夜間や停電時等において暗い場所での案内等の表示が適切に行えるようにすることを課題とするものである。
【課題を解決するための手段】
【００１０】
この発明における蓄光性カーペットにおいては、上記のような課題を解決するため、カーペットの表面におけるパイルの上に所定形状になった白色系保持層を形成し、この白色系保持層の上に蓄光材料を含む蓄光層を積層させ、上記の白色系保持層に白色系接着剤を用いるようにした。
【００１２】
また、この発明における蓄光性カーペットにおいては、カーペットの表面におけるパイルの上に直接、所定形状になった白色系保持層と蓄光層とを積層させるようにする他、このカーペットの表面におけるパイルに所定形状の凹部を形成し、この凹部に上記の白色系保持層と蓄光層とを積層させるようにすることができる。
【００１３】
ここで、上記のようにカーペットの表面におけるパイルに所定形状の凹部を形成するにあたっては、カーペットの表面におけるパイルを加熱溶融させて所定形状の凹部を形成することが好ましい。
【００１４】
また、この発明における蓄光性カーペットにおいては、上記の蓄光層に滑り防止材を含有させるようにすることができる。
【００１５】
また、この発明における蓄光性カーペットにおいて、上記のカーペットは特に限定されないが、組み合わせや部分的な交換等が容易に行えるようにするためには、所定大きさの矩形状になったタイルカーペットを用いることが好ましい。
【発明の効果】
【００１６】
この発明における蓄光性カーペットにおいては、上記のようにカーペットの表面におけるパイルの上に、白色系接着剤を用いて所定形状になった白色系保持層を形成し、この白色系保持層の上に蓄光材料を含む蓄光層を積層させるようにしたため、蓄光材料を含む蓄光層がカーペットの表面におけるパイルの間に入り込むのが防止され、カーペットの表面におけるパイルの上に所定形状になった蓄光層が適切に形成されるようになる。
【００１７】
また、この発明における蓄光性カーペットにおいては、上記のようにカーペットの表面におけるパイルの上に所定形状になった白色系保持層を形成し、その上に蓄光層を積層させるようにしたため、カーペットの表面におけるパイルの色彩が濃い場合にも、パイルの地の色が蓄光層を通して見えるのが防止され、美観や表示機能が低下するということがなく、またこの蓄光層からの光が上記の白色系保持層により反射されて、色彩の濃いパイルに吸収されることなく、カーペットの表面から照射されるようになり、蓄光層における発光性能が向上し、夜間や停電時等において暗い場所での案内等の表示が適切に行えるようになる。
【００１８】
また、この発明における蓄光性カーペットにおいて、カーペットの表面におけるパイルに所定形状の凹部を形成し、この凹部に上記の白色系保持層と蓄光層とを積層させるようにすると、カーペットの表面にこれらの層が突出して、躓いたりするのが防止されるようになる。
【００１９】
また、上記のようにカーペットの表面におけるパイルに凹部を形成するにあたり、カーペットの表面におけるパイルを加熱溶融させるようにすると、この凹部の表面が加熱溶融されたパイルにより密着した状態になって、凹部の表面における隙間が非常に少なくなり、上記の白色系保持層や蓄光層を形成する材料がカーペット表面のパイルの間に入り込むのが防止され、凹部の表面に白色系保持層と蓄光層とを適切に積層させることができるようになる。
【００２０】
また、上記の蓄光層に滑り防止材を含有させると、この蓄光層の上を歩行した際に滑ったりするのが防止されるようになる。
【００２１】
また、この発明における蓄光性カーペットにおいて、上記のカーペットに所定大きさの矩形状になったタイルカーペットを用いると、それぞれのタイルカーペットに適当な形状になった蓄光層を形成し、これらを適当に組み合わせて様々な表示が行えるようになると共に、部分的な交換等が容易に行えるようになる。
【発明を実施するための最良の形態】
【００２２】
以下、この発明の実施形態に係る蓄光性カーペットを添付図面に基づいて具体的に説明する。なお、この発明に係る蓄光性カーペットは、特に下記の実施形態に示したものに限定されるものではなく、その要旨を変更しない範囲において適宜変更して実施できるものである。
【００２３】
この実施形態に係る蓄光性カーペットにおいては、図１（Ａ），（Ｂ）に示すように、カーペットとして、パイル１１が植設された基布１２の裏面に裏打ち材１３が設けられて所定大きさの矩形状になったタイルカーペット１０を用いるようにした。なお、カーペットはこのようなタイルカーペット１０に限定されず、長尺状になったものや、面積が広いものであってもよい。
【００２４】
ここで、上記のパイル１１には、一般にナイロン，ポリプロピレン、ポリエステル等の合成樹脂繊維が用いられ、このパイル１１は、図に示すようなループパイルの他に、カットパイルであってもよいが、後述するように、このパイル１１の上に白色系保持層２０や蓄光層３０を形成する際に、これらの材料がパイル１１の間に入り込むのを防止するためには、ループパイルであることが好ましい。
【００２５】
また、上記の基布１２は、織布又は不織布等のシート体からなり、上記のパイル１１を十分に植設でき且つ破損などを生じない強度的にも優れたものであれば特にその素材は限定されず、例えば、ポリエステル、ポリプロピレン、ポリエチレン、ポリアミド、ポリビニルアルコール、ポリ塩化ビニル、ポリアクリロニトリル、ポリウレタン等の合成繊維や、セルロース、ウール等の天然繊維を１種又は２種以上組み合わせて使用することができる。
【００２６】
また、基布１２の裏面に設けられる上記の裏打ち材１３としては、例えば、塩化ビニル樹脂等のペーストゾル等を用いることができ、必要に応じて、カーボンブラック等の黒色顔料などの各種顔料、炭酸カルシウム、硫酸バリウムなどの充填剤、安定剤、老化防止剤などを混合してもよい。
【００２７】
ここで、裏打ち材１３は合成樹脂からなる単層のものであってよいが、この実施形態においては、パイル１１が植設された基布１２を安定的に固定するための合成樹脂ペーストゾル等からなる結合層１３ａを基布１２の裏面に設けると共に、この結合層１３ａの裏面にガラス繊維製ヤーンの網状体等からなる補強布１３ｂを設け、さらにこの補強布１３ｂの裏面に、ポリ塩化ビニル、ポリプロピレン、ポリエチレン、エチレン−酢酸ビニル共重合体等の合成樹脂や、ＳＢＲ、ＮＢＲ等の合成ゴム等からなるバッキング材１３ｃを設けている。
【００２８】
そして、この実施形態に係る蓄光性カーペットにおいては、図２及び図３に示すように、上記のタイルカーペット１０におけるパイル１１の上に、白色系接着剤を用いた白色系保持層２０を所定形状（図に示す例では矢印形状）になるように形成し、この白色系保持層２０の上に蓄光材料を含む蓄光層３０を白色系保持層２０に対応した形状に形成するようにしている。
【００２９】
ここで、タイルカーペット１０におけるパイル１１の上に、所定形状になった白色系保持層２０と蓄光層３０とを形成するにあたっては、図４に示すように、形成する白色系保持層２０や蓄光層３０の形状に対応した穴部４１が設けられたマスキング部材４０を用い、タイルカーペット１０におけるパイル１１の上に、上記の穴部４１を通して白色系接着剤を塗布し、これを硬化させて白色系保持層２０を形成した後、蓄光材料とバインダーとを含む蓄光層用塗液を上記の穴部５１を通して上記の白色系保持層２０の上に塗布し、これを硬化させて蓄光層３０を形成することができる。
【００３０】
このようにタイルカーペット１０のパイル１１の上に白色系保持層２０を設けた後、この白色系保持層２０の上に蓄光材料を含む蓄光層３０を形成すると、前記の蓄光層用塗液がタイルカーペット１０におけるパイル１１の間に入り込むのが防止され、タイルカーペット１０のパイル１１上に所定形状になった蓄光層３０が適切に形成されるようになる。
【００３１】
また、タイルカーペット１０の表面におけるパイル１１の色彩が黒色等の濃い色彩の場合にも、上記の白色系保持層２０によって、パイル１１の地の色が蓄光層３０を通して見えるのが防止され、美観や表示機能が低下するということがない。
【００３２】
さらに、夜間や停電時等の周りが暗い状態においては、この蓄光層３０における蓄光材料からの光が上記の白色系保持層２０により反射されて、色彩の濃いパイル１１に吸収されることなく、タイルカーペット１０の表面から照射されるようになり、暗い場所での案内等の表示が適切に行えるようになる。
【００３３】
ここで、上記の白色系保持層２０に用いる白色系接着剤の種類は特に限定されないが、例えば、それ自体が白色の変成シリコン系接着剤の他に、ラテックス系接着剤，ゴム系ホットメルト，溶融ポリマー接着剤，アクリレート接着剤等の公知の接着剤にチタンホワイト，炭酸カルシウム，酸化アルミニウム，セラミック微粉末，タルク等の白色顔料を含有させたものを用いることができるが、隠蔽性の高い変成シリコン系接着剤を用いることが好ましい。なお、上記のように公知の接着剤に白色顔料を含有させる場合、白色顔料が均一に分散されるようにするため、その粒径が３０μｍ以下のものを用いることが好ましい。
【００３４】
また、上記のように蓄光層３０における蓄光材料からの光が白色系保持層２０によって適切に反射されるようにすると共に、パイル１１の色彩が黒色等の濃い色彩の場合にも、パイル１１の地の色が蓄光層３０を通して見えるのを防止するため、上記の白色系保持層２０としては、ＪＩＳ  Ｚ８７２２に規定される白色度が６０以上、好ましくは８０以上になったものを用いるようにし、また白色系保持層２０の厚みを１０μｍ以上、好ましくは２０μｍ以上、より好ましくは３０μｍ以上になるようにする。但し、この白色系保持層２０の厚みが厚くなりすぎると、タイルカーペット１０の表面から突出する白色系保持層２０及び蓄光層３０の高さが高くなって躓きやすくなったり、白色系保持層２０及び蓄光層３０が剥がれやすくなったりするため、白色系保持層２０の厚みを５ｍｍ以下、好ましくは３ｍｍ以下、より好ましくは２ｍｍ以下になるようにする。
【００３５】
また、上記の蓄光層３０に用いる蓄光材料としては、一般に使用されている公知のものを用いることができ、特に、長く繰り返して使用することができ、放射性物質を含まず、残光輝度が高く、残光時間が長く、耐光性や耐久性に優れたものを用いることが好ましい。例えば、硫化カルシウム／ビスマス系（ＣａＳ／Ｂｉ）、硫化カルシウム・ストロンチウム／ビスマス系〔（Ｃａ，Ｓｒ）Ｓ／Ｂｉ）、硫化亜鉛／銅系（ＺｎＳ／Ｃｕ）、硫化亜鉛・カドミウム／銅系〔（Ｚｎ，Ｃｄ）Ｓ／Ｃｕ〕等の硫化物系蓄光材料や、酸化アルミニウム、酸化ストロンチウム、酸化バリウム、酸化カルシウム、酸化セリウム、酸化亜鉛、酸化マグネシウム、酸化ストロンチウム等の金属酸化物を母体結晶としたものに、賦活剤としてセリウム、プラセオジム、ネオジム、サマルウム、ユーロピウム、ガドリニウム、テルビウム、ジスプロシウム、ホルミウム、エルビウム、ツリウム、イッテルビウム、ルテチウム等の希土類元素加えたもの等を用いることができる。具体的には、Ｎ夜光ルミノーバ（根本特殊化学株式会社製）や、アルミン酸ストロンチウム系蓄光性蛍光体であるケミテックピカリコＣＰ−０４、ケミカラーＮＬ（ケミテック株式会社製）や、酸化アルミニウム、酸化カルシウム、酸化マグネシウム等が主成分となるウルトラグロー（日亜化学株式会社製）等を用いることができる。
【００３６】
また、上記の蓄光材料が蓄光層３０中に均一に分散されるようにするため、その粒径が１〜１００μｍのもの、好ましくは１０〜５０μｍのもの、より好ましくは１０〜３０μｍのものを用いるようにし、また粒径の異なる２種以上のものを組み合わせて用いることも可能である。
【００３７】
また、上記の蓄光層３０中における蓄光材料の割合が少ないと、十分な蓄光性能を得ることが困難になり、残光輝度が低下したり、残光時間が短くなったりする一方、蓄光材料の割合が多くなりすぎると、蓄光層３０の付着力や強度が低下するため、上記のバインダーに対して２０〜６０質量％、好ましくは３０〜４５質量％含有させるようにする。
【００３８】
また、上記の蓄光層３０の厚みが薄いと、十分な蓄光性能を得ることが困難になり、残光輝度が低下したり、残光時間が短くなったりする一方、蓄光層３０の厚みが厚くなりすぎると、タイルカーペット１０の表面から突出する蓄光層３０の高さが高くなって躓きやすくなったり、蓄光層３０が剥がれやすくなったりするため、蓄光層３０の厚みを２０μｍ〜１０ｍｍ、好ましくは５０μｍ〜５ｍｍ、より好ましくは７０μｍ〜２ｍｍの範囲になるようにする。
【００３９】
また、上記の蓄光層３０におけるバインダーとしては、例えば、エポキシ樹脂、尿素樹脂、ポリウレタン樹脂、不飽和ポリエステル樹脂、アクリル樹脂、メラミン樹脂、フェノール樹脂、ジアリルフタレート樹脂等の熱硬化樹脂、ポリ塩化ビニル、ポリ塩化ビニリデン、（メタ）アクリル樹脂、スチレン樹脂、ポリカーボネート、フッ素樹脂、アクリルシリコーン樹脂、石油樹脂、ウレタン変性アルキド樹脂、マレイン酸変性ロジンエステル、クマロンインデン樹脂、テルペン樹脂等の常温硬化型の合成樹脂及びこれらを２種以上混合させた混合樹脂や、イソプレンゴム、ウレタンゴム、アクリルゴム、スチレン−イソプレン−ブチレンブロック共重合ゴム等の合成ゴムや、天然ゴム等を用いることができる。
【００４０】
また、上記の蓄光層３０においては、その強度を向上させたり、滑りを抑制させたりするために、上記の蓄光材料とバインダーの他に、ガラス繊維、アラミド繊維、カーボン繊維、セラミック繊維等の補強繊維や、滑石粉、珪石粉、マイカ、カーボン、セラミック等の無機粒子、フッ素化樹脂、ポリエチレン、天然若しくは合成ゴム等の有機粒子（又はチップ）を添加させることができる。さらに、発泡剤、難燃剤等の添加剤や、耐汚染性を向上させるパラフィンワックス、マイクロクリスタリンワックス、ポリエチレンワックス等の滑剤や、可塑剤老化防止剤、紫外線吸収剤、硬化剤等を添加させることも可能である。
【００４１】
ここで、この実施形態に係る蓄光性カーペットにおいては、タイルカーペット１０の表面におけるパイル１１の上に設ける白色系保持層２０に、白色系接着剤を用いるようにした。なお、図５に示す参考例においては、タイルカーペット１０の表面におけるパイル１１の上に、前記の変成シリコン系接着剤や他の公知の接着剤を用いて所定形状になった接着剤層２１を形成し、この接着剤層２１の上に対応した形状になった白色系シート２２を積層させて白色系保持層２０を設け、この白色系保持層２０の上に、前記のようにして蓄光層３０を設けるようにしている。
【００４２】
ここで、上記の白色系シート２２としては、前記の蓄光層３０のバインダーに用いる樹脂やゴムに、前記の白色顔料を添加させてシート状に形成したものを用いることができ、またこのような白色系シート２２を接着剤層２１の上に設けるため、上記の接着剤層２１に用いる接着剤は必ずしも白色系のものに限られず、透明なものであってもよい。
【００４３】
また、この実施形態に係る蓄光性カーペットにおいては、タイルカーペット１０の表面におけるパイル１１の上に、そのまま所定形状になった白色系保持層２０と蓄光層３０とを形成するようにしたが、図６に示すように、タイルカーペット１０の表面におけるパイル１１を押圧しながら加熱溶融させて、タイルカーペット１０の表面に上記のような所定形状になった凹部１４を形成した後、図７に示すように、この凹部１４の上に、前記のようにして白色系保持層２０と蓄光層３０とを形成することも可能である。
【００４４】
ここで、上記のようにタイルカーペット１０の表面におけるパイル１１を押圧しながら加熱溶融させて、タイルカーペット１０の表面に上記のような所定形状になった凹部１４を形成するにあたっては、例えば、図８に示すように、上記の凹部１４の形状に対応した加熱押圧部５１を有する加熱用こて５０を用い、この加熱用こて５０の加熱押圧部５１をタイルカーペット１０表面のパイル１１の上から押し付けて、タイルカーペット１０表面のパイル１１を加熱溶融させるようにすることができる。
【００４５】
そして、このように加熱用こて５０の加熱押圧部５１によりタイルカーペット１０表面のパイル１１を押圧しながら加熱溶融させて、タイルカーペット１０の表面に上記のような所定形状になった凹部１４を形成すると、押圧されて凹んで密集した状態になったパイル１１が加熱溶融されて密着した状態になり、上記のように白色系接着剤等を塗布して白色系保持層２０を形成する際に、白色系接着剤等がタイルカーペット１０の表面におけるパイル１１の間に入り込むのが防止され、凹部１４の表面に白色系保持層２０が適切に形成されるようになり、この白色系保持層２０の上に蓄光層３０が適切に形成されるようになる。
【００４６】
また、パイルの溶融によって形成されるタイルカーペット１０の凹部１４は、パイルが溶融する過程で微小な凹凸が形成された硬質の樹脂層となっている。そして、このような硬質の樹脂層の微細な凹凸の上に、白色系保持層２０における白色系接着剤や接着剤層２１が固着されるようになり、白色系保持層２０の接着性が高くなって剥離しにくくなる。この結果、タイルカーペット１０と白色系保持層２０との層間での剥離が生じにくくなる。
【００４７】
また、このようにタイルカーペット１０の表面に形成された凹部１４の上に白色系保持層２０と蓄光層３０とを形成すると、タイルカーペット１０の表面から白色系保持層２０と蓄光層３０とが突出するのが抑制されて、歩行時などに躓いたりするのが防止されると共に、これにより白色系保持層２０や蓄光層３０がタイルカーペット１０の表面から剥離されるのも防止されるようになる。
【００４８】
特に、上記のようにパイルの溶融によって形成される硬質の樹脂層からなる凹部１４の上に白色系保持層２０を形成した場合には、さらに白色系保持層２０と蓄光層３０とが剥離しにくい構成となる。さらに、タイルカーペット１０の表面から白色系保持層２０と蓄光層３０とが突出するのが抑制されるため、白色系保持層２０と蓄光層３０の層厚を大きく確保することができる。この結果、白色系保持層２０の隠蔽効果と蓄光層３０の発光を高めることができ、意匠性、表示性を高めることができる。
【図面の簡単な説明】
【００４９】
【図１】この発明の実施形態に係る蓄光性カーペットにおいて使用するタイルカーペットの概略平面図及び断面説明図である。
【図２】上記の実施形態に係る蓄光性カーペットにおいて、タイルカーペットの表面におけるパイルの上に、白色系保持層と蓄光層とを積層させた状態を示した概略断面図である。
【図３】上記の実施形態に係る蓄光性カーペットの概略平面図である。
【図４】上記の実施形態に係る蓄光性カーペットを製造するにあたり、穴部が形成されたマスキング部材を用いて、タイルカーペットの表面におけるパイルの上に白色系保持層と蓄光層とを積層させる状態を示した概略平面図である。
【図５】参考例に係る蓄光性カーペットにおいて、上記の白色系保持層として、接着剤層の上に白色系シートを積層させた状態を示した概略断面図である。
【図６】上記の実施形態に係る蓄光性カーペットの変更例において、タイルカーペットの表面におけるパイルを押圧しながら加熱溶融させて、タイルカーペットの表面に凹部を形成した状態を示した概略断面図である。
【図７】上記の変更例において、タイルカーペットの表面に形成された凹部の上に、白色系保持層と蓄光層とを形成した状態を示した概略断面図である。
【図８】上記の変更例において、タイルカーペットの表面におけるパイルを押圧しながら加熱溶融させて凹部を形成するのに使用する加熱用こての概略側面図である。
【符号の説明】
【００５０】
１０  タイルカーペット（シート材）
１１  パイル
１２  基布
１３  裏打ち材
１３ａ  結合層
１３ｂ  補強布
１３ｃ  バッキング材
１４  凹部
２０  白色系保持層
２１  接着剤層
２２  白色系シート
３０  蓄光層
４０  マスキング部材
４１  穴部
５０  加熱用こて
５１  加熱押圧部
【図１】
0005133772.tif 000002
【図２】
0005133772.tif 000003
【図３】
0005133772.tif 000004
【図４】
0005133772.tif 000005
【図５】
0005133772.tif 000006
【図６】
0005133772.tif 000007
【図７】
0005133772.tif 000008
【図８】
0005133772.tif 000009